【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
像担持体と、
前記像担持体を帯電する帯電部と、
前記帯電部により帯電された前記像担持体に静電潜像を形成する潜像形成部と、
前記像担持体に形成された静電潜像を現像剤により現像する現像部と、
前記帯電部に印加する帯電電圧を生成する帯電電圧生成部と、
前記現像部に印加する現像電圧を生成する現像電圧生成部と、
前記現像電圧生成部からの出力を制御する制御部と、
前記制御部と接続され、前記帯電電圧生成部からの出力により前記制御部の動作を補正する補正部とを備えたことを特徴とする画像形成装置。
【請求項２】
前記制御部は、前記現像電圧生成部からの出力と基準値とに基づいて、前記現像電圧生成部からの出力を制御するフィードバック部を有し、前記補正部は、前記基準値を補正することを特徴とする請求項１の画像形成装置。
【請求項３】
像担持体と、
前記像担持体に形成された静電潜像に現像剤を供給する現像部と、
前記現像部における現像剤の量を調整する現像部材と、
前記現像部に印加する第１の現像電圧を生成する第１現像電圧生成部と、
前記現像部材に印加する第２の現像電圧を生成する第２現像電圧生成部と、
前記第２現像電圧生成部からの出力を制御する制御部と、
前記制御部と接続され、前記第１現像電圧生成部からの出力により前記制御部の動作を補正する補正部とを備えたことを特徴とする画像形成装置。
【請求項４】
前記制御部は、前記第２現像電圧生成部からの出力と基準値とに基づいて、前記第２現像電圧生成部からの出力を制御するフィードバック部を有し、前記補正部は、前記基準値を補正することを特徴とする請求項３に記載の画像形成装置。
【請求項５】
高電圧を供給する電源であって、
像担持体を帯電する帯電部に印加する帯電電圧を生成する帯電電圧生成部と、
前記像担持体に形成された静電潜像を現像剤により現像する現像部に印加する現像電圧を生成する現像電圧生成部と、
前記現像電圧生成部からの出力を制御する制御部と、
前記制御部と接続され、前記帯電電圧生成部からの出力により前記制御部の動作を補正する補正部とを備えたことを特徴とする電源。
【請求項６】
前記制御部は、前記現像電圧生成部からの出力と基準値とに基づいて、前記現像電圧生成部からの出力を制御するフィードバック部を有し、前記補正部は、前記基準値を補正することを特徴とする請求項５に記載の電源。
【請求項７】
高電圧を供給する電源であって、
像担持体に形成された静電潜像に現像剤を供給する現像部に印加する第１の現像電圧を生成する第１現像電圧生成部と、
前記現像部における現像剤の量を調整する現像部材に印加する第２の現像電圧を生成する第２現像電圧生成部と、
前記第２現像電圧生成部からの出力を制御する制御部と、
前記制御部と接続され、前記第１現像電圧生成部からの出力により前記制御部の動作を補正する補正部とを備えたことを特徴とする電源。
【請求項８】
前記制御部は、前記第２現像電圧生成部からの出力と基準値とに基づいて、前記第２現像電圧生成部からの出力を制御するフィードバック部を有し、前記補正部は、前記基準値を補正することを特徴とする請求項７に記載の電源。
【手続補正２】
【補正対象書類名】明細書
【補正対象項目名】発明の名称
【補正方法】変更
【補正の内容】
【発明の名称】画像形成装置及び電源
【手続補正３】
【補正対象書類名】明細書
【補正対象項目名】００１９
【補正方法】変更
【補正の内容】
【００１９】
本発明は、このような状況のもとでなされたもので、画像形成装置及び電源において、安価な構成で所要のバイアス間の差分を所定値に安定させることを目的とする。
【手続補正４】
【補正対象書類名】明細書
【補正対象項目名】００２０
【補正方法】変更
【補正の内容】
【００２０】
前記課題を解決するため、本発明では、画像形成装置を次の（１）、（２）のとおりに、電源を次の（３）、（４）のとおりに構成する。
（１）像担持体と、前記像担持体を帯電する帯電部と、前記帯電部により帯電された前記像担持体に静電潜像を形成する潜像形成部と、前記像担持体に形成された静電潜像を現像剤により現像する現像部と、前記帯電部に印加する帯電電圧を生成する帯電電圧生成部と、前記現像部に印加する現像電圧を生成する現像電圧生成部と、前記現像電圧生成部からの出力を制御する制御部と、前記制御部と接続され、前記帯電電圧生成部からの出力により前記制御部の動作を補正する補正部とを備えたことを特徴とする画像形成装置。
（２）像担持体と、前記像担持体に形成された静電潜像に現像剤を供給する現像部と、前記現像部における現像剤の量を調整する現像部材と、前記現像部に印加する第１の現像電圧を生成する第１現像電圧生成部と、前記現像部材に印加する第２の現像電圧を生成する第２現像電圧生成部と、前記第２現像電圧生成部からの出力を制御する制御部と、前記制御部と接続され、前記第１現像電圧生成部からの出力により前記制御部の動作を補正する補正部とを備えたことを特徴とする画像形成装置。
（３）高電圧を供給する電源であって、像担持体を帯電する帯電部に印加する帯電電圧を生成する帯電電圧生成部と、前記像担持体に形成された静電潜像を現像剤により現像する現像部に印加する現像電圧を生成する現像電圧生成部と、前記現像電圧生成部からの出力を制御する制御部と、前記制御部と接続され、前記帯電電圧生成部からの出力により前記制御部の動作を補正する補正部とを備えたことを特徴とする電源。
（４）高電圧を供給する電源であって、像担持体に形成された静電潜像に現像剤を供給する現像部に印加する第１の現像電圧を生成する第１現像電圧生成部と、前記現像部における現像剤の量を調整する現像部材に印加する第２の現像電圧を生成する第２現像電圧生成部と、前記第２現像電圧生成部からの出力を制御する制御部と、前記制御部と接続され、前記第１現像電圧生成部からの出力により前記制御部の動作を補正する補正部とを備えたことを特徴とする電源。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
本発明によれば、画像形成装置及び電源において、安価の構成で所要のバイアス間の差分を所定値に安定させることができる。
【手続補正８】
【補正対象書類名】明細書
【補正対象項目名】００２７
【補正方法】変更
【補正の内容】
【００２７】
図２に本実施例の要部である帯電バイアス印加回路部３０１と現像バイアス印加回路部４０１の概略構成を示す。
帯電バイアス電源回路である帯電バイアス印加回路部３０１に関しては、３０２は高圧トランス、３０３はトランス駆動回路部、３０４はトランスを駆動させる帯電バイアス駆動信号である。帯電バイアス駆動信号の周波数、Ｄｕｔｙを可変することにより、高圧出力が変えられる回路構成で、フィードバック回路を要していないオープンループの回路構成となっている。これらの回路構成で帯電バイアス回路は構成されている。
３０５は、帯電バイアスの出力を現像バイアス印加回路に反映させるための抵抗Ｒ２を有する、修正回路部で、現像バイアス印加回路の基準電圧回路部４０６に接続される。修正回路部は現像バイアス印加回路部の制御回路の動作を補正する補正回路といえる。